(57)【要約】【課題】  より多くの人々に動産・不動産の販売の場所まで足を運んでもらうことができるように工夫した、新聞の折込み広告を提供する【解決手段】  板状に押し潰したポリエチレン筒状体を適当な間隔を保って上下幅方向に２箇所で切断し、下切断端に沿ってシールして閉じ縁３を形成すると共に、上切断端の近傍に横長の指挿通用吊下げ穴４を開設して形成した吊下げ袋２の外面に、少なくとも、「動産・不動産の特別販売展示日」、「この袋いっぱいに」、「詰め放題」という趣旨の用語、および詰め放題の対象となる品物の文字と動産・不動産の販売・展示場を印刷して、新聞折込み広告型に形成した。【選択図】    図１
0003158921.tif 000002
【実用新案登録請求の範囲】
【請求項１】
板状に押し潰したポリエチレン筒状体を適当な間隔を保って上下幅方向に２箇所で切断し、下切断端に沿ってシールして閉じ縁（３）を形成すると共に、上切断端の近傍に横長の指挿通用吊下げ穴（４）を開設して形成した吊下げ袋（２）の外面に、少なくとも、「動産・不動産の特別販売展示日」、「この袋いっぱいに」、「詰め放題」という趣旨の用語、および詰め放題の対象となる品物の文字と、動産・不動産の販売・展示場を印刷してなる新聞折込み広告型の来場者促進新聞折込袋。
【考案の詳細な説明】
【技術分野】
【０００１】
本考案は、新聞の折込み広告として使用する、動産・不動産を販売するための宣伝活動用の袋に関するものである。
【背景技術】
【０００２】
従来から動産・不動産の販売の宣伝活動として新聞の折込み広告が広く使われている。この折込み広告は、価格や場所などが、購入希望者に分かり易く記載されている。
【考案の概要】
【考案が解決しようとする課題】
【０００３】
しかし、こうした従来の紙面による折込み広告では宣伝活動が必ずしも効果的ではない。すなわち、この折込み広告を見て、実際にわざわざその場所に足を運ぶのは、その動産や不動産の購入を希望している人々に限られている。従って、動産・不動産の販売の場所に集まる人の数は限られ、おのずと宣伝効果は高くない。
【０００４】
本考案はこうした問題に鑑み創案されたもので、より多くの人々に動産・不動産の販売の場所まで足を運んでもらうことができるように工夫した、新聞の折込み広告を提供することを課題とする。
【課題を解決するための手段】
【０００５】
まず、用語の説明をする。動産の販売とは、スーパーマーケット，ホームセンター，家電店，携帯電話店或いは自動車販売店等の小売商が商品を販売することを言う。また、不動産の販売とは、不動産業者が戸建住宅やマンションを販売することを言う。
【０００６】
図１乃至図４を参照して説明する。本考案に係る来場者促進新聞折込袋１は、新聞折込み広告型であり、板状に押し潰したポリエチレン筒状体を適当な間隔を保って上下幅方向に２箇所で切断し、下切断端に沿ってシールして閉じ縁３を形成すると共に、上切断端の近傍に横長の指挿通用吊下げ穴４を開設して形成した吊下げ袋２の外面に、少なくとも、「動産・不動産の特別販売展示日」、「この袋いっぱいに」、「詰め放題」を趣旨とする用語、および詰め放題の対象となる品物の文字と、動産・不動産の販売・展示場を印刷してなるものである。なお、この袋１は、上記した構成であるので、襠（まち）は設けられていない。
【考案の効果】
【０００７】
本考案に係る来場者促進新聞折込袋１は、吊下げ袋２の外面に、「動産・不動産の特別販売展示日」、「この袋いっぱいに」、「詰め放題」を趣旨とする用語、および詰め放題の対象となる品物の文字と、動産・不動産の販売・展示場を印刷しているので、動産・不動産の販売の宣伝効果を大幅に高めることができる。
【０００８】
すなわち、この吊下げ袋２には、動産・不動産の販売展示場に足を運ぶと、当該吊下げ袋２に所定の品物を詰め放題にして持ち帰りできることが記載されているので、その動産・不動産の購入を希望している人々のみならず、購入に関心のある人々の来場をも喚起することができる。従って、より多くの人々を集めることができる。
【０００９】
例えば、住宅購入を今ではないものの将来的に希望している人々の中には、実際に住宅を見たり、販売者側の話を聞くことによって購入に踏み切る人も多いため、本考案に係る来場者促進新聞折込袋１の効果はきわめて大きい。
【００１０】
なお、本考案に係る来場者促進新聞折込袋１は、板状に押し潰したポリエチレン筒状体で形成しており、その側部Ｓや底部Ｂに襠（まち）を設けていないので紙と同じように薄くて嵩張らない。従って、新聞に通常の広告と同じように容易に折り込むことができる。
【００１１】
また、ポリエチレン筒状体を上下２箇所で切断し、下切断端をシールし、上切断端の近傍に吊下げ穴４を開設しているので、品物を詰めた後、その吊下げ穴４に指を通して容易に持ち運ぶことができる。
【００１２】
なお、この袋１はポリエチレン製であるため無害であり、また、焼却しても塩化水素などの有害ガスを発生しない。従って、環境衛生上、優れている。
【図面の簡単な説明】
【００１３】
【図１】本考案に係る来場者促進新聞折込袋を示す正面図（おもて面）である。
【図２】図１に示す袋の平面図である（閉じた状態）。
【図３】図１に示す袋の平面図である（開いた状態）。
【図４】図１に示す袋を新聞に折り込んだ状態を示す正面図である。
【考案を実施するための形態】
【００１４】
本考案に係る来場者促進新聞折込袋１の実施形態を、図１乃至図４に示す。この袋１は、板状に押し潰した矩形状のポリエチレン筒状体を適当な間隔を保って上下幅方向に２箇所で切断し、下切断端に沿ってシールして閉じ縁３を形成した吊下げ袋２である。従って、側部Ｓや底部Ｂに襠（まち）を設けていない。
【００１５】
また、この吊下げ袋２の上切断端の近傍（直下）には、横長の指挿通用吊下げ穴４を開設している。そして、その外面（おもて面２ａ）に、「動産・不動産の特別販売展示日」、「この袋いっぱいに」、「詰め放題」を趣旨とする用語、および詰め放題の対象となる品物の文字を印刷している。また、それらと共に、動産・不動産の販売・展示場や動産・不動産の販売会社の社名や住所、電話番号、宣伝文句などを印刷している（社名、電話番号、宣伝文句は図示省略）。
【００１６】
この袋１の大きさは、そのままの状態あるいは半分に折り畳んだ状態で新聞Ｎに折り込むことができる程度に設定している。従って、詰め放題の対象となる品物は、それより小さいものとなる（例えば、インスタントラーメンや小物の家庭用品、あるいは菓子類など）。
【００１７】
なお、本実施形態では、吊下げ袋２のおもて面２ａのみに上記事項を印刷しているが、本考案はこれに限定されず、裏面２ｂにも印刷することができる。また、印刷事項は上記したものに限定されず、住宅の特長（南向きなど）や販売価格、延べ面積などを印刷することもできる。
【００１８】
本実施形態に係る来場者促進新聞折込袋１には、動産・不動産の販売展示場に足を運ぶと、当該吊下げ袋２に所定の品物を詰め放題にして持ち帰りできることが記載されているので、より多くの人々を動産・不動産の販売開催場所まで引き寄せることができる。これにより、極めて大きな宣伝効果を発揮することができる。
【００１９】
また、この来場者促進新聞折込袋１は、板状に押し潰したポリエチレン筒状体で形成しており、その側部Ｓや底部Ｂに襠（まち）を設けていないのできわめて薄く嵩張らない。従って、新聞Ｎに通常の紙の広告と同じように容易に折り込むことができる。
【００２０】
また、ポリエチレン筒状体を上下２箇所で切断し、下切断端をシールし、上切断端の近傍に吊下げ穴４を開設しているので、品物を詰めた後、その吊下げ穴４に指を通して容易に持ち運ぶことができる。この吊り下げ穴４は横穴であるため、複数の指を挿通することができ、従って、当該袋１を安定姿勢で保持することができる。
【００２１】
なお、この袋１はポリエチレン製であるため無害である。また、焼却持に有害ガスを発生することもないので、安全性に優れる。
【産業上の利用可能性】
【００２２】
一戸建てやマンションなどの不動産の販売，家電，携帯電話，自動車の販売等に利用できる。また、販売展示の月日のほか、時間限定のサービスタイムの記載をすることもできる。
【符号の説明】
【００２３】
１      来場者促進新聞折込袋
２      吊下げ袋
２ａ    おもて面
２ｂ    裏面
３      閉じ縁
４      吊下げ穴
Ｂ      底部
Ｎ      新聞
Ｓ      側部
【図１】
0003158921.tif 000003
【図２】
0003158921.tif 000004
【図３】
0003158921.tif 000005
【図４】
0003158921.tif 000006